(57)【要約】【課題】複数台の情報端末からの出力情報を選択的に表示できるようにすると共に、迅速に切替装置を設置できるようにする。【解決手段】切替装置１００は、ＰＣ切替スイッチＳＷ１〜ＳＷ６からの切替信号に基づいて、ＰＣ１ｐ〜６ｐからの出力情報を切り替えてプロジェクタ５５又はＬＣＤ５６に表示制御する切替制御部５０を有する。そして、少なくとも、これらの切替制御部５０、プロジェクタ５５、ＬＣＤ５６及びＰＣ１ｐ〜６ｐに電源を供給する電源供給部４３を備えるものである。これにより、ＰＣ１ｐ〜６ｐからの出力情報を選択的にプロジェクタ５５又はＬＣＤ５６に表示できると共に、プロジェクタ５５や、ＬＣＤ５６、ＰＣ１ｐ〜６ｐの電源コードを１箇所に纏めて接続することができる。これにより、配線が混雑しないので切替装置１００の設置時間を短縮できるようになる。従って、短い時間で情報を共有できるので迅速に指示及び決定できるようになる。【選択図】  図２
2009258512.tif 000002
【特許請求の範囲】
【請求項１】
画像を表示する表示手段と、
前記表示手段に表示される画像を切り替えるための切替スイッチと、
複数台の情報端末に接続され、前記切替スイッチからの切替信号に基づいて、当該複数台の情報端末からの出力情報を切り替えて前記表示手段を表示制御する切替制御部と、
少なくとも、前記切替制御部、前記表示手段及び前記複数台の情報端末に電源を供給する電源供給部とを備えることを特徴とする切替装置。
【請求項２】
前記表示手段は、
少なくとも、第１の表示部及び第２の表示部から構成され、
前記切替スイッチは、
装置本体から遠隔操作可能に前記切替制御部に接続されて、前記第１の表示部又は前記第２の表示部に切り替えるための遠隔スイッチを備え、
前記切替制御部は、
前記遠隔スイッチからの切替信号に基づいて、前記複数台の情報端末からの出力情報を切り替えて前記第１又は第２の表示部に表示制御することを特徴とする請求項１に記載の切替装置。
【請求項３】
前記切替スイッチは、
前記装置本体に設けられて、前記第１の表示部又は前記第２の表示部に切り替えるための固定スイッチを備え、
前記切替制御部は、
前記固定スイッチからの切替信号に基づいて、前記複数台の情報端末からの出力情報を切り替えて前記第１又は第２の表示部に表示制御することを特徴とする請求項２に記載の切替装置。
【請求項４】
前記装置本体の上部に設けられて複数色に点灯する表示器と、
前記表示器の表示色を切り替える表示切替部とを備えることを特徴とする請求項２に記載の切替装置。
【発明の詳細な説明】
【技術分野】
【０００１】
本発明は、複数台の情報端末からの出力情報を所定の表示装置に切り替えて表示制御する切替装置に関するものである。詳しくは、切替スイッチからの切替信号に基づいて、複数台の情報端末からの出力情報を切り替えて表示手段を表示制御する切替制御部を有し、少なくとも、これらの切替制御部、表示手段及び情報端末に電源を供給する電源供給部を備えることにより、複数台の情報端末からの出力情報を選択的に表示手段に表示できるようにすると共に、表示手段や複数台の情報端末の電源コードを１箇所に纏めて接続できるようにしたものである。
【背景技術】
【０００２】
従来、複数台のパーソナルコンピュータ（以下「ＰＣ」という）からの出力情報を切り替えて、１台の表示装置（例えば液晶ディスプレイ）に選択的に表示する切替器が使用されている。この切替器は、例えばＲＧＢ端子を複数備えている。これらのＲＧＢ端子には、１台の液晶ディスプレイが接続されると共に複数台のＰＣの本体が接続される。この構成により、例えばＰＣのキーボード操作により、各ＰＣから出力される出力情報を液晶ディスプレイへ切り替える。例えば、液晶ディスプレイへの出力を第１のＰＣから第２のＰＣに切り替える場合、キーボードの[Shift]キーを押しながら[Ctrl]キーを２回押す。これにより、液晶ディスプレイは、第１のＰＣから第２のＰＣに表示が切り換わる。
【０００３】
また、特許文献１には、ＰＣのディスプレイの代替表示方式が開示されている。この代替表示方式によれば、メインＰＣ本体の電源をＯＮせずに、サブノートＰＣから出力されるデータを切り替えて当該メインＰＣのディスプレイに表示するものである。これにより、省電力を実現できるというものである。
【０００４】
【特許文献１】特開２００２−２２９５０３号公報（第１図）
【発明の開示】
【発明が解決しようとする課題】
【０００５】
ところで、特許文献１や従来例に係る切替器によれば、当該切替器のＲＧＢ端子には、１台の液晶ディスプレイと複数台のＰＣの本体が接続されている。しかしながら、これらの液晶ディスプレイや複数台のＰＣの電源は、例えば屋内に設けられたコンセントから供給されている。このため、液晶ディスプレイや複数台のＰＣからコンセントが離れていたり、当該コンセントの数が不足するおそれがある。これにより、電源コードの配線が混雑したり、設置準備に時間がかかる問題がある。
【０００６】
例えば、複数台のＰＣにより様々な情報を収集して、当該情報を共有する場面に切替器が用いられる場合、配線が混雑すると切替器や、液晶ディスプレイ、複数台のＰＣの設置準備や、これらの機器が使用できるまでにかなりの時間が必要になる。特に、電力会社において、台風や地震などに対する防災体制として非常災害対策室（情報班）を設置し、担当内の電力設備に関する情報を収集して切替器により当該情報を共有する場合などは、迅速な対応が望まれる。
【０００７】
そこで、本発明は、このような従来例に係る課題を解決したものであって、複数台の情報端末からの出力情報を選択的に表示できるようにすると共に、迅速に当該装置を設置できるようにした切替装置を提供することを目的とする。
【課題を解決するための手段】
【０００８】
上述した課題を解決するために、本発明に係る切替装置は、画像を表示する表示手段と、前記表示手段に表示される画像を切り替えるための切替スイッチと、複数台の情報端末に接続され、前記切替スイッチからの切替信号に基づいて、当該複数台の情報端末からの出力情報を切り替えて前記表示手段を表示制御する切替制御部と、少なくとも、前記切替制御部、前記表示手段及び前記複数台の情報端末に電源を供給する電源供給部とを備えることを特徴とするものである。
【０００９】
本発明に係る切替装置によれば、切替スイッチは、表示手段に表示される画像を切り替える。切替制御部は、この切替スイッチからの切替信号に基づいて、複数台の情報端末からの出力情報を切り替えて表示手段を表示制御する。電源供給部は、少なくとも、これらの切替制御部、表示手段及び複数台の情報端末に電源を供給する。これにより、複数台の情報端末からの出力情報を選択的に表示手段に表示できると共に、表示手段や複数台の情報端末の電源コードを１箇所に纏めて接続することができる。従って、当該装置の設置時間を短縮できるようになる。
【発明の効果】
【００１０】
本発明に係る切替装置によれば、切替スイッチからの切替信号に基づいて、複数台の情報端末からの出力情報を切り替えて表示手段を表示制御する切替制御部を有し、少なくとも、これらの切替制御部、表示手段及び情報端末に電源を供給する電源供給部を備えるものである。
【００１１】
この構成によって、複数台の情報端末からの出力情報を選択的に表示手段に表示できると共に、表示手段や複数台の情報端末の電源コードを１箇所に纏めて接続することができる。これにより、当該装置の設置時間を短縮できるようになる。従って、短い時間で情報を共有できるので迅速に指示及び決定できるようになる。
【発明を実施するための最良の形態】
【００１２】
以下、図面を参照しながら、本発明に係る切替装置の実施形態の一例を説明する。図１は、本発明に係るＲＧＢ切替機能付集線装置１００の構成例を示す斜視図である。図１に示すＲＧＢ切替機能付集線装置（以下「切替装置」という）１００は、プロジェクタ５５及びＬＣＤ（液晶ディスプレイ）５６に接続され、さらに６台のＰＣ（パーソナルコンピュータ）１ｐ〜６ｐに接続され、またＰＣ切替スイッチＳＷ１〜ＳＷ６に接続されている。
【００１３】
ＰＣ切替スイッチＳＷ１〜ＳＷ６は切替スイッチ及び遠隔スイッチの一例であり、装置本体９９から遠隔操作可能に接続されている。ＰＣ切替スイッチＳＷ１〜ＳＷ６は、ＰＣ１ｐ〜６ｐの出力を切り替えるための切替情報を切替装置１００に出力する。切替装置１００は、この切替情報に基づいて、ＰＣ１ｐ〜６ｐの出力をプロジェクタ５５又はＬＣＤ５６に切り替える。プロジェクタ５５及びＬＣＤ５６は、切替装置１００により切り替えられたＰＣ１ｐ〜６ｐのいずれかの出力情報を入力して画像を表示する。
【００１４】
この切替装置１００は、ＰＣ１ｐ〜６ｐにより様々な情報を収集して、当該情報を共有する場面に用いられる。例えば、電力会社において、台風や地震などに対する防災体制として非常災害対策室（情報班）を設置する。そして、担当内の電力設備に関する情報を収集し、切替装置１００により出力先をプロジェクタ５５又はＬＣＤ５６に切り替えて情報を共有する。そして、防災に関する指示などの情報発信を行う。
【００１５】
なお、当該実施形態では、プロジェクタ５５には、ＰＣ１ｐ〜６ｐの出力情報を表示するように制御し、ＬＣＤ５６には、ＰＣ１ｐ〜４ｐのみの出力情報を表示するように制御する。すなわち、ＬＣＤ５６には、ＰＣ５ｐ及び６ｐの出力情報を表示しないように制御する。ＰＣ５ｐ及び６ｐは、主に板書用（議事録用）として使用される。例えば、ＰＣ５ｐのワープロソフトなどにより状況を逐一書き込んでその情報をプロジェクタ５５に表示する。プロジェクタ５５及びＬＣＤ５６は、表示手段の一例を構成する。また、プロジェクタ５５は第１の表示部の一例であり、ＬＣＤ５６は第２の表示部の一例である。
【００１６】
切替装置１００は、その装置本体９９の前面に表示操作部１１を備えている。この表示操作部１１は、アクリルパネル６、表示操作パネル７〜１０から構成されている。このアクリルパネル６は、前面が開口された装置本体９９にネジにより取り付けられている。
【００１７】
このアクリルパネル６の上段には、表示操作パネル７及び８が設けられている。表示操作パネル７及び８は同一構成である。表示操作パネル７及び８は、表示部１２及び固定スイッチ１３を備えている。
【００１８】
表示部１２は、ＰＣ１ｐ〜６ｐとプロジェクタ５５との接続状況を表示する。例えば、切替装置１００が切り替えられて、ＰＣ１ｐがプロジェクタ５５に接続されている場合、表示部１２は、ＬＥＤ１２ａを発光する。これにより、ＰＣ１ｐがプロジェクタ５５に接続されていることを確認できる。
【００１９】
固定スイッチ１３は、装置本体９９に設けられて、プロジェクタ５５に切り替えるためのスイッチである。固定スイッチ１３が押されると、図２に示す切替制御部５０は、固定スイッチ１３からの切替信号に基づいて、ＰＣ１ｐ〜６ｐからの出力情報を切り替えてプロジェクタ５５に表示制御する。これにより、ＰＣ切替スイッチＳＷ１〜ＳＷ６を使用せずに装置本体９９側でも、プロジェクタ５５への切り替えが可能になる。例えば、操作ボタン１３ａが押されると、切替装置１００が切り替えられてＰＣ１ｐがプロジェクタ５５に接続される。
【００２０】
アクリルパネル６の下段には、表示操作パネル９及び１０が設けられている。表示操作パネル９及び１０は同一構成である。表示操作パネル９及び１０は、表示部１４及び固定スイッチ１５を備えている。
【００２１】
表示部１４は、ＰＣ１ｐ〜４ｐとＬＣＤ５６との接続状況を表示する。例えば、切替装置１００が切り替えられて、ＰＣ１ｐがＬＣＤ５６に接続されている場合、表示部１４は、ＬＥＤ１４ａを発光する。これにより、ＰＣ１ｐがＬＣＤ５６に接続されていることを確認できる。
【００２２】
固定スイッチ１５は、装置本体９９に設けられて、ＬＣＤ５６に切り替えるためのスイッチである。固定スイッチ１５が押されると、図２に示す切替制御部５０は、固定スイッチ１５からの切替信号に基づいて、ＰＣ１ｐ〜４ｐからの出力情報を切り替えてＬＣＤ５６に表示制御する。これにより、ＰＣ切替スイッチＳＷ１〜ＳＷ４を使用せずに装置本体９９側でも、ＬＣＤ５６への切り替えが可能になる。例えば、操作ボタン１５ａが押されると、切替装置１００が切り替えられてＰＣ１ｐがＬＣＤ５６に接続される。
【００２３】
切替装置１００は、その装置本体９９の前面に操作部１７を備えている。この操作部１７は、アクリルパネル１８、電源スイッチ１９、コンセント２０及び表示切替部２１から構成されている。このアクリルパネル１８は、前面が開口された装置本体９９にネジにより取り付けられている。
【００２４】
電源スイッチ１９は、切替装置１００の電源のＯＮ／ＯＦＦを切り替える。この電源スイッチ１９の上方には、電源ランプ２４が設けられている。この電源ランプ２４は、電源ＯＮの時に点灯する。コンセント２０は、２箇所に設けられている。これらのコンセント２０には、例えばプロジェクタ５５やＬＣＤ５６の電源コードのプラグが差し込まれて電源が供給される。
【００２５】
表示切替部２１は、表示切替スイッチ２３及び４個のランプ２２から構成されている。表示切替スイッチ２３を回動させて所定位置のランプ２２に切り替えると、装置本体９９の上部に設けられたアクリル製の表示器５が切り替えに応じて複数色に点灯する。例えば、表示切替スイッチ２３を回動させて「非常」を示す位置のランプ２２に切り替えると、アクリル製の表示器５が黄色に点灯する。これにより、上述した台風や地震などに対する防災時に切替装置１００により当該情報を共有する場合に、状況を一目で確認できる。なお、切替装置１００の装置本体９９の後部には、主電源コード２５が設けられている。
【００２６】
続いて、切替装置１００の切替制御部５０の構成例を説明する。図２は、切替装置１００の切替制御部５０の構成例を示すブロック図である。図２に示す切替装置１００は、切替制御部５０を備えている。この切替制御部５０は、ＰＣ１ｐ〜６ｐに接続され、ＰＣ切替スイッチＳＷ１〜ＳＷ６からの切替信号に基づいて、当該ＰＣ１ｐ〜６ｐからの出力情報を切り替えてプロジェクタ５５又はＬＣＤ５６に表示制御するものである。この切替制御部５０は、ＰＩＣ（制御用ＩＣ）５７、フォトカプラ５１〜５４、ＰＣ切替器１〜４を備えている。
【００２７】
ＰＩＣ５７は、ＰＣ切替スイッチＳＷ１〜ＳＷ６に接続されている。ＰＣ切替スイッチＳＷ１は、ＰＣ１ｐの出力をプロジェクタ５５又はＬＣＤ５６に切り替える。ＰＣ切替スイッチＳＷ２は、ＰＣ２ｐの出力をプロジェクタ５５又はＬＣＤ５６に切り替える。ＰＣ切替スイッチＳＷ３は、ＰＣ３ｐの出力をプロジェクタ５５又はＬＣＤ５６に切り替える。ＰＣ切替スイッチＳＷ４は、ＰＣ４ｐの出力をプロジェクタ５５又はＬＣＤ５６に切り替える。ＰＣ切替スイッチＳＷ５は、ＰＣ５ｐの出力をプロジェクタ５５に切り替える。ＰＣ切替スイッチＳＷ６は、ＰＣ６ｐの出力をプロジェクタ５５に切り替える。
【００２８】
これらのＰＣ切替スイッチＳＷ１〜ＳＷ６はＯＮされると、例えばハイレベル信号をＰＩＣ５７に出力する。ＰＩＣ５７は、このハイレベル信号に基づいてＰＣ切替器１〜４を切り替えるように制御する。例えば、ＰＩＣ５７は、ＰＣ切替器１〜４の電磁リレーの可動鉄片を開閉させて、当該ＰＣ切替器１〜４を切り替える。
【００２９】
この例で、ＰＣ切替器１は、フォトカプラ５１を介してＰＩＣ５７に接続されている。また、また、ＰＣ切替器１は、ＰＣ５ｐ及び６ｐ並びにプロジェクタ５５に接続されている。ＰＣ切替器１は、ＰＩＣ５７により制御されて、ＰＣ５ｐ又は６ｐから出力される出力情報をプロジェクタ５５に切り替える。
【００３０】
ＰＣ切替器２は、フォトカプラ５２を介してＰＩＣ５７に接続されている。また、ＰＣ切替器２は、ＰＣ１ｐ及び２ｐに接続されている。ＰＣ切替器２は、ＰＩＣ５７により制御されて、ＰＣ１ｐ又は２ｐから出力される出力情報を切り替える。例えば、ＰＣ切替器２は、ＰＣ１ｐから出力される出力情報をプロジェクタ５５に出力するように切り替える。
【００３１】
ＰＣ切替器３は、フォトカプラ５３を介してＰＩＣ５７に接続されている。また、ＰＣ切替器３は、ＬＣＤ５６に接続されている。ＰＣ切替器３は、ＰＩＣ５７により制御されて、ＰＣ１ｐ〜４ｐから出力される出力情報をＬＣＤ５６に切り替える。
【００３２】
ＰＣ切替器４は、フォトカプラ５４を介してＰＩＣ５７に接続されている。また、ＰＣ切替器４は、ＰＣ３ｐ及び４ｐに接続されている。ＰＣ切替器４は、ＰＩＣ５７により制御されて、ＰＣ３ｐ又は４ｐから出力される出力情報を切り替える。例えば、ＰＣ切替器４は、ＰＣ１ｐから出力される出力情報をＬＣＤ５６に出力するように切り替える。
【００３３】
ここで、切替装置１００の電源について説明する。切替装置１００の電源は、例えば、ＡＣ１００Ｖに接続して使用可能な電源供給部４３を有している。ＡＣ電源（１００Ｖ）と電源供給部４３との間には電源スイッチ１９が接続され、使用時に電源スイッチ１９がオンされる。電源供給部４３は、少なくとも、切替制御部５０、プロジェクタ５５、ＬＣＤ５６及びＰＣ１ｐ〜６ｐに接続されて電源を供給する。
【００３４】
続いて、図３及び図４を参照して切替装置１００の正面の構成を詳細に説明する。図３は、切替装置１００の構成例を示す正面図である。図４は、アクリルパネル６及びアクリルパネル１８の構成例を示す図である。
【００３５】
図４に示すアクリルパネル６には、開口部７Ａ〜１０Ａが設けられ、これらの開口部７Ａ〜１０Ａの各々には、図３に示す表示操作パネル７〜１０の各々が嵌め込まれる。表示操作パネル７及び８は、プロジェクタ５５に係る操作及び表示を示すパネルである。また、表示操作パネル９及び１０は、ＬＣＤ５６に係る操作及び表示を示すパネルである。
【００３６】
表示操作パネル７には、ＬＥＤ１２ａ〜１２ｄが設けられている。表示操作パネル８には、ＬＥＤ１２ｅ及び１２ｆが設けられている。これら６個のＬＥＤ１２ａ〜１２ｆは、ＰＣ１ｐ〜６ｐに対応している。例えば、ＬＥＤ１２ａは、ＰＣ１ｐがプロジェクタ５５に接続されている場合に点灯し、ＬＥＤ１２ｂは、ＰＣ２ｐがプロジェクタ５５に接続されている場合に点灯する。同様に、ＬＥＤ１２ｃ〜１２ｆの各々は、ＰＣ３ｐ〜６ｐの各々がプロジェクタ５５に接続されている場合に点灯する。
【００３７】
また、表示操作パネル７には、操作ボタン１３ａ〜１３ｄが設けられている。表示操作パネル８には、操作ボタン１３ｅ及び１３ｆが設けられている。これら６個の操作ボタン１３ａ〜１３ｆはＰＣ１ｐ〜６ｐに対応し、ＰＣ切替スイッチＳＷ１〜ＳＷ６を使用せずに装置本体９９側で、ＰＣ１ｐ〜６ｐからの出力情報をプロジェクタ５５に切り替えるものである。例えば、操作ボタン１３ａは、ＰＣ１ｐからの出力情報をプロジェクタ５５に切り替え、操作ボタン１３ｂは、ＰＣ２ｐからの出力情報をプロジェクタ５５に切り替える。同様に、操作ボタン１３ｃ〜１３ｆの各々は、ＰＣ３ｐ〜６ｐの各々からの出力情報をプロジェクタ５５に切り替える。
【００３８】
なお、この例では、６台のＰＣ１ｐ〜６ｐをプロジェクタ５５に接続するため、６個のＬＥＤ１２ａ〜１２ｆ及び操作ボタン１３ａ〜１３ｆを用いている。もちろん、８台のＰＣをプロジェクタ５５に接続する場合、残りの２個のＬＥＤ及び操作ボタンを使用するようにすればよい。
【００３９】
表示操作パネル９には、ＬＥＤ１４ａ〜１４ｄが設けられている。これら４個のＬＥＤ１４ａ〜１４ｆは、ＰＣ１ｐ〜４ｐに対応している。例えば、ＬＥＤ１４ａは、ＰＣ１ｐがＬＣＤ５６に接続されている場合に点灯し、ＬＥＤ１４ｂは、ＰＣ２ｐがＬＣＤ５６に接続されている場合に点灯する。同様に、ＬＥＤ１４ｃ及び１４ｄの各々は、ＰＣ３ｐ及び４ｐの各々がＬＣＤ５６に接続されている場合に点灯する。
【００４０】
また、表示操作パネル９には、操作ボタン１５ａ〜１５ｄが設けられている。これら４個の操作ボタン１５ａ〜１５ｆはＰＣ１ｐ〜４ｐに対応し、ＰＣ切替スイッチＳＷ１〜ＳＷ４を使用せずに装置本体９９側で、ＰＣ１ｐ〜４ｐからの出力情報をＬＣＤ５６に切り替えるものである。例えば、操作ボタン１５ａは、ＰＣ１ｐからの出力情報をＬＣＤ５６に切り替え、操作ボタン１５ｂは、ＰＣ２ｐからの出力情報をＬＣＤ５６に切り替える。同様に、操作ボタン１５ｃ及び１５ｄの各々は、ＰＣ３ｐ及び４ｐの各々からの出力情報をＬＣＤ５６に切り替える。
【００４１】
なお、この例では、４台のＰＣ１ｐ〜４ｐをＬＣＤ５６に接続するため、４個のＬＥＤ１２ａ〜１２ｄ及び操作ボタン１５ａ〜１５ｄを用いている。もちろん、８台のＰＣをＬＣＤ５６に接続する場合、表示操作パネル１０における残りの４個のＬＥＤ及び操作ボタンを使用するようにすればよい。
【００４２】
図４に示すアクリルパネル１８には、開口部１９Ａ〜２１Ａ、２４Ａが設けられ、これらの開口部の各々には、図３に示す電源スイッチ１９、コンセント２０、表示切替部２１及び電源ランプ２４の各々が配置されている。
【００４３】
表示切替部２１は、オペレータにより手動で４段階に切り替えられる。例えば、「通常（ランプ消灯）」、「警戒」、「非常」及び「特別非常」に切り替えられる。このとき、図１に示したアクリル製の表示器５が様々な色に点灯する。例えば、表示切替スイッチ２３が「警戒」に切り替えられたとき、アクリル製の表示器５が緑色に点灯する。また、表示切替スイッチ２３が「非常」に切り替えられたとき、アクリル製の表示器５が黄色に点灯する。また、表示切替スイッチ２３が「特別非常」に切り替えられたとき、アクリル製の表示器５が赤色に点灯する。これにより、上述した台風や地震などに対する防災時に切替装置１００により当該情報を共有する場合に、状況を一目で確認できる。なお、表示切替スイッチ２３が「通常」に切り替えられたとき、アクリル製の表示器５が消灯する。
【００４４】
続いて、図５及び図６を参照して切替装置１００の背面の構成を説明する。図５は、切替装置１００の構成例を示す背面図である。図６は、アクリルパネル２６〜３１の構成例を示す図である。図６に示すアクリルパネル２６及び２８には、合計６個の開口部３２Ａが設けられ、これらの開口部３２Ａには、図５に示すスイッチ接続口３２ａ〜３２ｆが配置される。これらのスイッチ接続口３２ａ〜３２ｆの各々には、ＰＣ切替スイッチＳＷ１〜ＳＷ６の各々が接続される。例えば、スイッチ接続口３２ａにはＰＣ切替スイッチＳＷ１が接続され、スイッチ接続口３２ｂにはＰＣ切替スイッチＳＷ２が接続される。以下同様に、スイッチ接続口３２ｃ〜３２ｆの各々にはＰＣ切替スイッチＳＷ３〜ＳＷ６の各々が接続される。
【００４５】
また、図６に示すアクリルパネル２６及び２８には、合計６個の開口部３３Ａが設けられている。また、図６に示すアクリルパネル３０及び３１には、合計６個の開口部３３Ｂが設けられている。これらの開口部３３Ｂに開口部３３Ａが重ねられた状態で、図５に示すＲＧＢ端子３３ａ〜３３ｆが配置される。これらのＲＧＢ端子３３ａ〜３３ｆの各々には、ＰＣ１ｐ〜６ｐの各々が接続される。例えば、ＲＧＢ端子３３ａにはＰＣ１ｐが接続され、ＲＧＢ端子３３ｂにはＰＣ２ｐが接続される。以下同様に、ＲＧＢ端子３３ｃ〜３３ｆの各々にはＰＣ３ｐ〜６ｐの各々が接続される。
【００４６】
また、図６に示すアクリルパネル２８には、開口部３５Ａが設けられている。また、図６に示すアクリルパネル３１には、開口部３５Ｂが設けられている。この開口部３５Ｂに開口部３５Ａが重ねられた状態で、図５に示すプロジェクタ接続用のＲＧＢ端子３５が配置される。このＲＧＢ端子３５には、プロジェクタ５５が接続される。
【００４７】
また、図６に示すアクリルパネル２８には、開口部３６Ａが設けられている。また、図６に示すアクリルパネル３１には、開口部３６Ｂが設けられている。この開口部３６Ｂに開口部３６Ａが重ねられた状態で、図５に示す液晶表示器接続用のＲＧＢ端子３６が配置される。このＲＧＢ端子３６には、ＬＣＤ５６が接続される。
【００４８】
また、図６に示すアクリルパネル２８には、開口部３４Ａが設けられている。この開口部３４Ａには、図５に示すプログラミングポート３４が配置される。このプログラミングポート３４は、ＰＩＣ５７のプログラムデータの書き込み用ポートして使用される。
【００４９】
また、図６に示すアクリルパネル２９には、６個の開口部３７Ａが設けられている。これらの開口部３７Ａには、図５に示す６個のパソコン用のコンセント３７が配置される。これらのパソコン用のコンセント３７には、ＰＣ１ｐ〜６ｐの電源プラグが差し込まれる。
【００５０】
また、図６に示すアクリルパネル２９には、開口部２５Ａが設けられている。この開口部２５Ａには、図５に示す主電源接続口２５ａが配置される。この主電源接続口２５ａには、切替装置１００の主電源コード２５が接続される。このように、切替装置１００の背面は構成されている。
【００５１】
続いて、ＰＣ切替スイッチＳＷ１〜ＳＷ６の構成について説明する。図７Ａ及び図７Ｂは、ＰＣ切替スイッチＳＷ１〜ＳＷ４の構成例を示す斜視図である。図７Ａに示すＰＣ切替スイッチＳＷ１〜ＳＷ４は、ＰＣ１ｐ〜４ｐをプロジェクタ５５又はＬＣＤ５６に切り替えるためのスイッチである。なお、ＰＣ切替スイッチＳＷ１〜ＳＷ４は同一構成のため、以下の説明では、代表してＰＣ切替スイッチＳＷ１についてのみ説明する。
【００５２】
ＰＣ切替スイッチＳＷ１は、そのコード３８が図２に示した切替制御部５０に接続されている。ＰＣ切替スイッチＳＷ１は、その本体３９の正面に押しボタン４０及び４１を備えている。押しボタン４０は、プロジェクタ５５選択用のボタンである。また、押しボタン４１は、ＬＣＤ５６選択用のボタンである。押しボタン４１及び４０には、発光ダイオードが内蔵されている。
【００５３】
例えば、図７Ａに示すＰＣ切替スイッチＳＷ１の押しボタン４１を押すと、ＰＣ１ｐの出力情報がＬＣＤ５６に切り替えられると共に、図７Ｂに示すように当該押しボタン４１が緑色に発光して選択状態を表示する。この例で、ＰＣ切替スイッチＳＷ１の押しボタン４１を押すと、切替制御部５０を介して切替器２及び切替器３にパルス状の切替信号を出力してＰＣ１ｐの出力情報をＬＣＤ５６に切り替える。
【００５４】
また、ＰＣ切替スイッチＳＷ１の押しボタン４０を押すと、ＰＣ１ｐの出力情報がプロジェクタ５５に切り替えられると共に、当該押しボタン４０が黄色に発光して選択状態を表示する。この例で、ＰＣ切替スイッチＳＷ１の押しボタン４０を押すと、切替制御部５０を介して切替器２及び切替器１にパルス状の切替信号を出力してＰＣ１ｐの出力情報をプロジェクタ５５に切り替える。
【００５５】
図７Ｃ及び図７Ｄは、ＰＣ切替スイッチＳＷ５及びＳＷ６の構成例を示す斜視図である。図７Ｃに示すＰＣ切替スイッチＳＷ５及びＳＷ６は、ＰＣ５ｐ及び６ｐの接続をプロジェクタ５５に切り替えるためのスイッチである。なお、ＰＣ切替スイッチＳＷ５及びＳＷ６は同一構成のため、以下の説明では、代表してＰＣ切替スイッチＳＷ５についてのみ説明する。
【００５６】
ＰＣ切替スイッチＳＷ５は、そのコード３８が図２に示した切替制御部５０に接続されている。ＰＣ切替スイッチＳＷ５は、その本体４２の正面に押しボタン４０のみを備えている。この押しボタン４０は、プロジェクタ５５選択用のボタンである。なお、図７Ａに示したＬＣＤ５６選択用の押しボタン４１は備えていない。
【００５７】
この例で、図７Ｃに示すＰＣ切替スイッチＳＷ５の押しボタン４０を押すと、ＰＣ５ｐの出力情報がプロジェクタ５５に切り替えられると共に、図７Ｄに示すように押しボタン４０が発光して選択状態を表示する。この例で、ＰＣ切替スイッチＳＷ５の押しボタン４０を押すと、切替制御部５０を介して切替器１にパルス状の切替信号を出力してＰＣ５ｐの出力情報をプロジェクタ５５に切り替える。
【００５８】
続いて、図８〜図１０を参照して、切替装置１００における切替制御部５０の配線例を説明する。図８は、切替装置１００における切替制御部５０の構成例を示す配線図である。図８に示す配線図は、図２に示したブロック図の配線関係を示したものである。図８に示すＰＩＣ５７は、ＰＣ切替スイッチＳＷ１〜ＳＷ６に接続されている。ＰＣ切替スイッチＳＷ１〜ＳＷ４は、プロジェクタ５５及びＬＣＤ５６を選択するためのスイッチを有している。ＰＣ切替スイッチＳＷ５及びＳＷ６は、プロジェクタ５５のみを選択するためのスイッチを有している。また、ＰＩＣ５７は、フォトカプラ５１〜５４に接続されている。フォトカプラ５１〜５４の各々には、ＰＣ切替器１〜４の各々が接続される。
【００５９】
なお、図８に示す破線四角領域（ＲＤ４〜ＲＤ７）は、拡大表示されている。ＰＩＣ５７のＲＤ４〜ＲＤ６の各々には、赤色のＬＥＤ（Ｒ）、黄色のＬＥＤ（Ｙ）及び緑色のＬＥＤ（Ｇ）が接続されている。これらのＬＥＤは、図１に示したランプ２２を点灯させる。
【００６０】
図９は、ＰＣ切替器１〜４の構成例を示す配線図である。図９に示すＰＣ切替器１〜４は、図８に示したＰＩＣ５７により所定のフォトカプラを介してその電磁リレー「１」番〜「４」番が通電されて可動鉄片が開閉される。
【００６１】
例えば、ＰＣ切替器１は、図９に示す番号「１」の端子と番号「５」の端子が通電されると、電磁リレー「１」番が動作して閉じる。また、番号「２」の端子と番号「５」の端子が通電されると、電磁リレー「２」番が動作して閉じる。同様にして、電磁リレー「３」番及び「４」番が動作して閉じる。
【００６２】
図１０は、ＰＣ切替器１〜４の動作例を示す概略図である。図１０の例では、ＰＣ１ｐをプロジェクタ５５に接続し、ＰＣ４ｐをＬＣＤ５６に接続した例を示している。例えば、図１０に示すＰＣ切替器１及びＰＣ切替器２が切り替えられて、ＰＣ１ｐとプロジェクタ５５が接続されている。また、ＰＣ切替器３及びＰＣ切替器４が切り替えられて、ＰＣ４ｐとＬＣＤ５６が接続されている。これにより、ＰＣ１ｐから出力された出力情報がプロジェクタ５５に表示され、ＰＣ４ｐから出力された出力情報がＬＣＤ５６に表示される。
【００６３】
図１１は、スイッチ「ｓｗ１」〜スイッチ「ｓｗ４−２」の動作例を示す説明図である。図１１に示すスイッチ「ｓｗ１」〜スイッチ「ｓｗ４−２」は、図１０に示したＰＣ切替器１〜４におけるスイッチ「ｓｗ１」〜スイッチ「ｓｗ４−２」に対応している。図１０に示したＰＣ切替器１〜４のスイッチ「ｓｗ１」〜スイッチ「ｓｗ４−２」は、図１１に示すように動作する。なお、ＰＣ切替器１〜４のスイッチ「ｓｗ１」〜スイッチ「ｓｗ４−２」は、ＰＩＣ５７からのハイレベル信号（当該信号はパルス出力で連続出力でない）によりそれぞれ単独で動作する。
【００６４】
例えば、図７Ａに示したＰＣ切替スイッチＳＷ１のプロジェクタ切替用の押しボタン４０を押した場合、図１１に示すように、ＰＣ切替器１のスイッチ「ｓｗ１」は端子「１」に切り替えられ、ＰＣ切替器２のスイッチ「ｓｗ３−１」は端子「１」に切り替えられる。これにより、ＰＣ１ｐからの出力情報はプロジェクタ５５に出力される。また、ＰＣ切替スイッチＳＷ１のＬＣＤ切替用の押しボタン４１を押した場合、図１１に示すように、ＰＣ切替器３のスイッチ「ｓｗ２」は端子「１」に切り替えられ、ＰＣ切替器２のスイッチ「ｓｗ３−２」は端子「３」に切り替えられる。これにより、ＰＣ１ｐからの出力情報はＬＣＤ５６に出力される。なお、図１１に示す「−」表示は、ＰＣ切替器１〜４のスイッチ「ｓｗ１」〜スイッチ「ｓｗ４−２」が、ＰＣ切替スイッチ操作前の状態を保持していることを示している。
【００６５】
図７Ａに示したＰＣ切替スイッチＳＷ２のプロジェクタ切替用の押しボタン４０を押した場合、図１１に示すように、ＰＣ切替器１のスイッチ「ｓｗ１」は端子「１」に切り替えられ（保持され）、ＰＣ切替器２のスイッチ「ｓｗ３−１」は端子「２」に切り替えられる。これにより、ＰＣ２ｐからの出力情報はプロジェクタ５５に出力される。また、ＰＣ切替スイッチＳＷ２のＬＣＤ切替用の押しボタン４１を押した場合、図１１に示すように、ＰＣ切替器３のスイッチ「ｓｗ２」は端子「１」に切り替えられ（保持され）、ＰＣ切替器２のスイッチ「ｓｗ３−２」は端子「４」に切り替えられる。これにより、ＰＣ２ｐからの出力情報はＬＣＤ５６に出力される。
【００６６】
また、図７Ａに示したＰＣ切替スイッチＳＷ３のプロジェクタ切替用の押しボタン４０を押した場合、図１１に示すように、ＰＣ切替器１のスイッチ「ｓｗ１」は端子「２」に切り替えられ、ＰＣ切替器４のスイッチ「ｓｗ４−１」は端子「１」に切り替えられる。これにより、ＰＣ３ｐからの出力情報はプロジェクタ５５に出力される。また、ＰＣ切替スイッチＳＷ３のＬＣＤ切替用の押しボタン４１を押した場合、図１１に示すように、ＰＣ切替器３のスイッチ「ｓｗ２」は端子「２」に切り替えられ、ＰＣ切替器４のスイッチ「ｓｗ４−２」は端子「３」に切り替えられる。これにより、ＰＣ３ｐからの出力情報はＬＣＤ５６に出力される。
【００６７】
また、図７Ａに示したＰＣ切替スイッチＳＷ４のプロジェクタ切替用の押しボタン４０を押した場合、図１１に示すように、ＰＣ切替器１のスイッチ「ｓｗ１」は端子「２」に切り替えられ（保持され）、ＰＣ切替器４のスイッチ「ｓｗ４−１」は端子「２」に切り替えられる。これにより、ＰＣ４ｐからの出力情報はプロジェクタ５５に出力される。また、ＰＣ切替スイッチＳＷ４のＬＣＤ切替用の押しボタン４１を押した場合、図１１に示すように、ＰＣ切替器３のスイッチ「ｓｗ２」は端子「２」に切り替えられ（保持され）、ＰＣ切替器４のスイッチ「ｓｗ４−２」は端子「４」に切り替えられる。これにより、ＰＣ４ｐからの出力情報はＬＣＤ５６に出力される。
【００６８】
また、図７Ｃに示したＰＣ切替スイッチＳＷ５のプロジェクタ切替用の押しボタン４０を押した場合、図１１に示すように、ＰＣ切替器１のスイッチ「ｓｗ１」は端子「３」に切り替えられる。これにより、ＰＣ５ｐからの出力情報はプロジェクタ５５に出力される。
【００６９】
また、図７Ｃに示したＰＣ切替スイッチＳＷ６のプロジェクタ切替用の押しボタン４０を押した場合、図１１に示すように、ＰＣ切替器１のスイッチ「ｓｗ１」は端子「４」に切り替えられる。これにより、ＰＣ６ｐからの出力情報はプロジェクタ５５に出力される。
【００７０】
ＰＣ切替スイッチＳＷ１〜ＳＷ６の各々を操作することにより、図１１に示した切替シーケンスでＰＣ切替器１〜４を選択的に切り替えてプロジェクタ５５やＬＣＤ５６に当該ＰＣの出力を表示できる。また、図３に示した固定スイッチ１３及び１５を使用しても同様に、図１１に示した切替シーケンスでＰＣ切替器１〜４を選択的に切り替えてプロジェクタ５５やＬＣＤ５６に当該ＰＣの出力を表示できる。
【００７１】
また、切替対象外のＰＣ切替器１〜４の状態を保持することで、プロジェクタ５５やＬＣＤ５６の出力機器の選択は後操作が優先となる。例えば、プロジェクタ５５にＰＣ１ｐの出力情報を表示している時に、ＰＣ切替スイッチＳＷ２のプロジェクタ切替用の押しボタン４０を押した場合、ＰＣ切替器１のスイッチ「ｓｗ１」は端子「１」に保持され、ＰＣ切替器２のスイッチ「ｓｗ３−１」は端子「２」に切り替えられる。これにより、ＰＣ１ｐからＰＣ２ｐに切り替えられて、当該Ｐｃ２ｐからの出力情報がプロジェクタ５５に出力されるようになる。
【００７２】
また、プロジェクタ５５にＰＣ１ｐの出力情報を表示している時に、ＰＣ切替スイッチＳＷ１のＬＣＤ切替用の押しボタン４１を押した場合、ＰＣ切替器３のスイッチ「ｓｗ２」は端子「１」に切り替えられ、ＰＣ切替器２のスイッチ「ｓｗ３−２」は端子「３」に切り替えられる。これにより、ＰＣ１ｐからの出力情報はＬＣＤ５６に出力される。従って、ＰＣ１ｐの出力情報をプロジェクタ５５とＬＣＤ５６の両方に出力することもできる。
【００７３】
続いて、切替装置１００の使用例を説明する。図１２は、切替装置１００の使用例を示す斜視図である。図１２に示す切替装置１００は、例えば電力会社において、台風や地震などに対する防災体制として非常災害対策室（情報班）に設置される。そして、切替装置１００は、担当内の電力設備に関する情報を収集するＰＣ１ｐ〜６ｐや、当該情報を表示するプロジェクタ５５及びＬＣＤ５６に接続される。この例で、プロジェクタ５５は天井から吊り下げられている。
【００７４】
切替装置１００は、ＰＣ１ｐ〜６ｐから出力された出力情報を選択的にプロジェクタ５５又はＬＣＤ５６に表示する。これにより、ＰＣ１ｐ〜６ｐの各々の情報を迅速に共有できる。従って、防災に関する指示などの情報発信を的確に行うことができる。もちろん、切替装置１００は、非常防災時に限らず、複数のパソコンを使用する会議などでも使用が可能である。
【００７５】
このように、本発明に係る切替装置１００によれば、ＰＣ切替スイッチＳＷ１〜ＳＷ６からの切替信号に基づいて、ＰＣ１ｐ〜６ｐからの出力情報を切り替えてプロジェクタ５５又はＬＣＤ５６に表示制御する切替制御部５０を有し、少なくとも、これらの切替制御部５０、プロジェクタ５５、ＬＣＤ５６及びＰＣ１ｐ〜６ｐに電源を供給する電源供給部４３を備えるものである。
【００７６】
この構成によって、ＰＣ１ｐ〜６ｐからの出力情報を選択的にプロジェクタ５５又はＬＣＤ５６に表示できると共に、プロジェクタ５５や、ＬＣＤ５６、ＰＣ１ｐ〜６ｐの電源コードを１箇所に纏めて接続することができる。これにより、配線が混雑しないので当該切替装置１００の設置時間を短縮できるようになる。従って、短い時間で情報を共有できるので迅速に指示及び決定できるようになる。
【産業上の利用可能性】
【００７７】
複数台の情報端末からの出力情報を所定の表示装置に切り替えて表示制御する切替器に適用して好適である。
【図面の簡単な説明】
【００７８】
【図１】本発明に係るＲＧＢ切替機能付集線装置（切替装置）１００の構成例を示す斜視図である。
【図２】切替装置１００の切替制御部５０の構成例を示すブロック図である。
【図３】切替装置１００の構成例を示す正面図である。
【図４】アクリルパネル６及びアクリルパネル１８の構成例を示す図である。
【図５】切替装置１００の構成例を示す背面図である。
【図６】アクリルパネル２６〜３１の構成例を示す図である。
【図７】Ａ〜Ｃは、ＰＣ切替スイッチＳＷ１〜ＳＷ６の構成例を示す斜視図である。
【図８】切替装置１００における切替制御部５０の構成例を示す配線図である。
【図９】ＰＣ切替器１〜４の構成例を示す配線図である。
【図１０】ＰＣ切替器１〜４の動作例を示す概略図である。
【図１１】スイッチ「ｓｗ１」〜スイッチ「ｓｗ４−２」の動作例を示す説明図である。
【図１２】切替装置１００の使用例を示す斜視図である。
【符号の説明】
【００７９】
１〜４  ＰＣ切替器
５  表示器
１３  固定スイッチ（切替スイッチ）
１５  固定スイッチ（切替スイッチ）
１９  電源スイッチ
２１  表示切替部
４３  電源供給部
５０  切替制御部
５５  プロジェクタ（表示手段、第１の表示部）
５６  ＬＣＤ（表示手段、第２の表示部）
９９  装置本体
１００  切替装置
ＳＷ１〜ＳＷ６  ＰＣ切替スイッチ（切替スイッチ、遠隔スイッチ）
１ｐ〜６ｐ  ＰＣ（情報端末）
【図１】
2009258512.tif 000003
【図２】
2009258512.tif 000004
【図３】
2009258512.tif 000005
【図４】
2009258512.tif 000006
【図５】
2009258512.tif 000007
【図６】
2009258512.tif 000008
【図８】
2009258512.tif 000009
【図９】
2009258512.tif 000010
【図１０】
2009258512.tif 000011
【図１１】
2009258512.tif 000012
【図１２】
2009258512.tif 000013
【図７】
2009258512.tif 000014